(57)【要約】      （修正有）【課題】ナット本体(1) の後端部(1a)に発光装置(2) が設けられているので、夜間走行中の側方からの視認性を高めることができて事故防止に繋がると共に、ホイールナットに良好な装飾を与える。【解決手段】ナット本体(1) の後端部(1a)に発光装置(2) が設けられている。発光装置(2) は、ナット本体(1) の後端部にその後端から前向きにネジ込まれた雄ネジ部(3a)を有した前側容器(3) と、同容器(3) の雄ネジ部(3a)に螺合した雌ネジ部(4a)を有した後側容器(4) と、これらの容器(3) (4) 内に収められたバッテリー(5) およびこれに接続された発光素子(6) と、後側容器(4) の窓(4b)(4c)に設けられた光拡散素子(7) (8) とからなる。発光素子(6) は好ましくは発光ダイオードである。光拡散素子(7) (8) は好ましくはカットガラスである。【選択図】図２
0003110048.tif 000002
【実用新案登録請求の範囲】
【請求項１】
ナット本体(1) の後端部(1a)に発光装置(2) が設けられていることを特徴とする発光部付きホイールナット。
【請求項２】
上記発光装置(2) が、ナット本体(1) の後端部にその後端から前向きにネジ込まれた雄ネジ部(3a)を有した前側容器(3) と、同容器(3) の雄ネジ部(3a)に螺合した雌ネジ部(4a)を有した後側容器(4) と、これらの容器(3) (4) 内に収められたバッテリー(5) およびこれに接続された発光素子(6) と、後側容器(4) の窓(4b)(4c)に設けられた光拡散素子(7) (8) とからなることを特徴とする請求項１記載の発光部付きホイールナット。
【請求項３】
発光素子(6) が発光ダイオードであることを特徴とする請求項１または２記載の発光部付きホイールナット。
【請求項４】
光拡散素子(7) (8) がカットガラスであることを特徴とする請求項１〜３のいずれかに記載の発光部付きホイールナット。
【考案の詳細な説明】
【技術分野】
【０００１】
この考案は、レーシングカー等の自動車のハブボルトにねじ合せるホイールナットに関し、より詳しくは、発光部を備えたホイールナットに関する。
【背景技術】
【０００２】
自動車のハブボルトにねじ合せるホイールナットは、一般に袋ナット状であって、そのネジ込み方向の後端部は端壁で構成されている。
【０００３】
近年、夜間走行中の側方からの視認性を向上させ、また車オーナーの装飾的趣味を満足させる発光部を備えたホイールナットが望まれているが、このような発光部付きホイールナットは未だ知られていない。
【考案の開示】
【考案が解決しようとする課題】
【０００４】
この考案は、上記のような要望に応えることができる発光部付きホイールナットを提供することを課題とする。
【課題を解決するための手段】
【０００５】
この考案による発光部付きホイールナットは、ナット本体(1) の後端部(1a)に発光装置(2) が設けられていることを特徴とするものである。
【０００６】
上記発光装置(2) は、例えば、ナット本体(1) の後端部にその後端から前向きにネジ込まれた雄ネジ部(3a)を有した前側容器(3) と、同容器(3) の雄ネジ部(3a)に螺合した雌ネジ部(4a)を有した後側容器(4) と、これらの容器(3) (4) 内に収められたバッテリー(5) およびこれに接続された発光素子(6) と、後側容器(4) の窓(4b)(4c)に設けられた光拡散素子(7) (8) とからなる。
【０００７】
発光素子(6) は好ましくは発光ダイオードである。
【０００８】
光拡散素子(7) (8) は好ましくはカットガラスである。
【０００９】
この明細書において、前後関係は図２を基準とし、その左方、すなわちハブボルトにねじ合せるホイールナットが締め付け螺合に伴って前進する方向を前方とし、図２の右方を後方とする。
【考案の効果】
【００１０】
この考案によれば、ナット本体(1) の後端部(1a)に発光装置(2) が設けられているので、夜間走行中の側方からの視認性を高めることができて事故防止に繋がると共に、ホイールナットに良好な装飾を与えることができる。
【考案を実施するための最良の形態】
【００１１】
つぎに、本考案を具体的に説明するために、本考案の実施例を示す。
【００１２】
添付の図面において、発光部付きホイールナットは、ナット本体(1) の後端部(1a)に、雄ネジ部(3a)を有した前側容器(3) が設けられ、雄ネジ部(3a)がナット本体(1) の後端部(1a)にネジ込まれている。
【００１３】
前側容器(3) 内には２個のバッテリー(5) が収められている。
【００１４】
前側容器(3) の後方に、雌ネジ部(4a)を有した後側容器(4) が設けられ、雌ネジ部(4a)が前側容器(3) の雄ネジ部(3a)にネジ合わされることにより前側容器(3) に後側容器(4) が結合されている。後側容器(4) の雌ネジ部(4a)は、前側容器(3) の後端内面に形成された大径凹部(1b)と前側容器(3) の雄ネジ部(3a)との間に入り込んでいる。
【００１５】
後側容器(4) の内部には発光ダイオード(6) が収められている。発光ダイオード(6) はフランジ部(6a)および導電ピン(6b)を有し、バッテリー(5) のマイナス極が前側容器(3) および後側容器(4) を介して発光ダイオード(6) の導電ピン(6b)に接続されている。バッテリー(5) のプラス極は発光ダイオード(6) の前端部に直接接触している。
【００１６】
発光ダイオード(6) は、例えば、赤、緑、青、黄色、水色、ピンク、クリアーの７色が一定時間（例えば５秒）で変色するものである。ただし、発光ダイオード(6) の色は上記のものに限定されず、上記７色から選ばれる単一色のみであってもよいし、色が点滅してもよい。色の種類は、後述するように、カットガラス(7) (8) の色を変えることによってさらに増やすことができる。
【００１７】
後側容器(4) にはその六角側壁に３個の側部窓(4b)が開けられ、後側容器(4) の後端壁に後部窓(4c)が開けられている。これらの窓(4b)(4c)に光拡散用のカットガラス(7) (8) が嵌込まれ、発光ダイオード(6) から出た光がカットガラス(7) (8) で容器外部へ拡散するようになされている。カットガラス(7) (8) は透明体であってもよいが、種々の色のカットガラス(7) (8) を用いることによりこれを透過する光の色をさらに多彩なものとすることができる。
【００１８】
こうして、ナット本体(1) の後端部(1a)に発光装置(2) が設けられた発光部付きホイールナットが構成されている。
【図面の簡単な説明】
【００１９】
【図１】この考案による発光部付きホイールナットを示す斜視図である。
【図２】図１中のII−II線に沿う断面図である。
【図３】図１中のIII−III線に沿う断面図である。
【図４】この考案による発光部付きホイールナットを示す分解斜視図である。
【符号の説明】
【００２０】
(1) ナット本体
(1a)ナット本体の後端部
(1b)大径凹部
(3) 前側容器
(3a)雄ネジ部
(4) 後側容器
(4a)雌ネジ部
(4b)側部窓
(4c)後部窓
(5) バッテリー
(6) 発光ダイオード
(6a)フランジ部
(6b)導電ピン
(7) (8) カットガラス
【図１】
0003110048.tif 000003
【図２】
0003110048.tif 000004
【図３】
0003110048.tif 000005
【図４】
0003110048.tif 000006